(57)【特許請求の範囲】
【請求項１】
遊技機に設けられているとともに互いに接合される部材のうち、少なくとも一の部材に挿通孔が形成され、この挿通孔の内部に挿通された接合具で接合対象の部材同士が相互に接合された後に、前記接合具が内部に挿入された状態の前記挿通孔の内部に嵌め込まれて当該挿通孔を封止する封止キャップであって、
透明な合成樹脂から成形されるとともに、前記挿通孔の内部に挿入される筒状の筒部と、前記挿通孔を塞ぐ蓋として前記筒部に一体的に形成された笠状蓋部とを備え、
前記笠状蓋部には、照射された所定波長のレーザー光を吸収して周囲の合成樹脂を不透明に変化させる添加剤が添加され、所定波長のレーザー光の照射でマーキングが可能となった添加剤添加層と、この添加剤添加層と重なり合う層として形成され、且つ、前記添加剤が添加されておらず、所定波長のレーザー光の照射でマーキングされることのない添加剤非添加層とが設けられ、
前記添加剤非添加層に接している前記添加剤添加層の境界面には、前記添加剤非添加層を通り抜けてきた所定波長のレーザー光の照射により、予め設定された識別マークがマーキングされていることを特徴とする封止キャップ。
【請求項２】
前記笠状蓋部には、孔開けが容易に行えるパンチアウト部と、前記パンチアウト部の周囲部分に形成されるとともに、孔開けが困難な非パンチアウト部とが設けられ、
前記識別マークは、前記パンチアウト部及び前記非パンチアウト部の両方にまたがって形成されていることを特徴とする請求項１記載の封止キャップ。
【請求項３】
前記添加剤添加層及び前記添加剤非添加層の境界面には、波形の凹凸が形成されていることを特徴とする請求項１又は２記載の封止キャップ。
【発明の詳細な説明】
【技術分野】
【０００１】
本発明は、遊技機に設けられているとともに互いに接合される部材のうち、少なくとも一の部材に挿通孔が形成され、この挿通孔の内部に挿通された接合具で接合対象の部材同士が相互に接合された後に、前記接合具が内部に挿入された状態の前記挿通孔の内部に嵌め込まれて当該挿通孔を封止する封止キャップに関する。
【背景技術】
【０００２】
従来から、スロットマシンの遊技機は、遊技を行うのに必要な遊技装置、遊技装置の動作を制御する制御回路が形成された制御基板、及び、遊技装置及び制御基板に電力を供給する電源装置等を備えたものとなっている。
このうち、制御基板は、遊技動作を制御するプログラムを記憶したＲＯＭ、及び、高速演算機能を有するＬＳＩ等からなるＣＰＵを備え、ＲＯＭに記憶されたプログラムをＣＰＵで実行するものとなっている。
このような制御基板は、真正のＲＯＭを入賞しやすい不正なプログラムを記憶した不正ＲＯＭに交換する等の不正行為を防止するために、箱状に形成された透明な合成樹脂製の基板ケースの内部に収納されている。
【０００３】
制御基板を収納する基板ケースとしては、一面が開口された箱状となっているとともに、制御基板が設置されるベース部と、このベース部に設置された制御基板の上方を覆う蓋部とを備えたものが一般的である。
そして、これらのベース部及び蓋部は、内部に設置された制御基板を不正行為から保護するために、閉じた状態で互いに結合されるようになっている。
【０００４】
ここで、基板ケースは、一般的に、蓋部及びベース部を相互に接合するためのネジを挿通させるネジ挿通孔が蓋部に形成されている。そして、蓋部に形成したネジ挿通孔の内部にネジを挿通し、このネジの先端をベース部に螺合させることで、蓋部及びベース部が相互に接合されるようになっている。
また、ネジ挿通孔には、当該挿通孔を封止する封止キャップが嵌め込まれるようになっている。この封止キャップは、一旦、ネジ挿通孔に嵌め込まれると、蓋部又は封止キャップを破壊しなければ、蓋部から取り外せないようになっている。
【０００５】
従って、ネジ挿通孔に挿通したネジで蓋部及びベース部を相互に接合した後、封止キャップをネジ挿通孔の中に嵌め込んで、ネジ挿通孔に挿通したネジを封止キャップで封止すれば、蓋部又は封止キャップを破壊しなければ、封止キャップが蓋部から取り外すことも、ひいては、基板ケースを開けることもできない。
換言すると、ネジで蓋部をベース部に接合するとともに、ネジ挿通孔に挿通したネジを封止キャップで封止することで基板ケースを閉鎖した後、この基板ケースを開けると、蓋部及び封止キャップの少なくとも一方が破壊され、その痕跡が蓋部又は封止キャップに残るので、制御基板のＲＯＭを不正に交換するために、基板ケースを開けると、蓋部又は封止キャップに基板ケースを開けた痕跡が残り、この痕跡によって、不正行為が行われたことが明確に判別できるようになり、これにより、ＲＯＭの不正交換等、制御基板に対する不正行為の防止を図ることができる（例えば、特許文献１参照）。
【先行技術文献】
【特許文献】
【０００６】
【特許文献１】特開２００７−３１２９１６号公報
【発明の概要】
【発明が解決しようとする課題】
【０００７】
現在では、型取り用のシリコーンゴム等で封止キャップの型を取ることで、封止キャップの複製を比較的容易に作製することができ、封止キャップの複製が作製されてしまうと、蓋部をベース部に接合するネジが挿通されたネジ挿通孔を封止キャップで封止しても、封止キャップを破壊して基板ケースを開けて、制御基板に対して不正行為を行った後に、ネジ挿通孔に挿通したネジで蓋部をベース部に接合し、複製した贋物の封止キャップでネジが挿通されたネジ挿通孔を封止すれば、基板ケースを開けた痕跡が残らず、不正行為が行われたことが判別できなくなる。
このため、前述のような遊技機では、本物と見間違える程の贋物の製作が困難となる封止キャップを実現することが要望されていている。
【０００８】
そこで、各請求項にそれぞれ記載された各発明は、上記した従来の技術の有する問題点に鑑みてなされたものであり、その目的とするところは、本物と見間違える程の贋物の製作が困難な封止キャップを提供することである。
【課題を解決するための手段】
【０００９】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１０】
（請求項１）
（特徴点）
請求項１記載の発明は、次の点を特徴とする。
すなわち、請求項１に記載された発明は、遊技機(１)に設けられているとともに、互いに接合される部材のうち、少なくとも一の部材に挿通孔(53C) が形成され、この挿通孔(53C) の内部に挿通された接合具(60)で接合対象の部材同士が相互に接合された後に、前記接合具(60)が内部に挿入された状態の前記挿通孔(53C) の内部に嵌め込まれて当該挿通孔(53C) を封止する封止キャップ(70)であって、透明な合成樹脂から成形されるとともに、前記挿通孔(53C) の内部に挿入される筒状の筒部(71)と、前記挿通孔(53C) を塞ぐ蓋として前記筒部(71)に一体的に形成された笠状蓋部(72)とを備え、前記笠状蓋部(72)には、照射された所定波長のレーザー光を吸収して周囲の合成樹脂を不透明に変化させる添加剤が添加され、所定波長のレーザー光の照射でマーキングが可能となった添加剤添加層(72A) と、この添加剤添加層(72A) と重なり合う層として形成され、且つ、前記添加剤が添加されておらず、所定波長のレーザー光の照射でマーキングされることのない添加剤非添加層(72B) とが設けられ、前記添加剤非添加層(72B) に接している前記添加剤添加層(72A) の境界面(75A) には、前記添加剤非添加層(72B) を通り抜けてきた所定波長のレーザー光の照射により、予め設定された識別マーク(77)がマーキングされていることを特徴とする。
【００１１】
（請求項２）
請求項２記載の発明は、前述した請求項１記載の発明において、次の特徴点を備えているものである。
すなわち、請求項２記載の発明は、前記笠状蓋部(72)に、孔開けが容易に行えるパンチアウト部(73)と、前記パンチアウト部(73)の周囲部分に形成されるとともに、孔開けが困難な非パンチアウト部(74)とが設けられ、前記識別マーク(77)は、前記パンチアウト部(73)及び前記非パンチアウト部(74)の両方にまたがって形成されていることを特徴とする。
【００１２】
（請求項３）
請求項３記載の発明は、前述した請求項１又は２記載の発明において、次の特徴点を備えているものである。
すなわち、請求項３記載の発明は、前記添加剤添加層(72A) 及び前記添加剤非添加層(72B) の境界面(75A) に、波形の凹凸が形成されていることを特徴とする。
【発明の効果】
【００１３】
（請求項１の効果）
以上のように構成されている本発明は、以下に記載されるような効果を奏する。
すなわち、請求項１記載の発明によれば、接合具が内部に挿通される挿通孔を封止する封止キャップの笠状蓋部に、照射された所定波長のレーザー光を吸収して周囲の合成樹脂を不透明に変化させる添加剤が添加され、所定波長のレーザー光の照射でマーキングが可能となった添加剤添加層と、この添加剤添加層と重なり合う層として形成され、且つ、添加剤が添加されておらず、所定波長のレーザー光の照射でマーキングされることのない添加剤非添加層とを設け、添加剤非添加層に接している添加剤添加層の境界面に、添加剤非添加層を通り抜けてきた所定波長のレーザー光の照射で予め設定された識別マークをマーキングすることができ、添加剤添加層の添加剤非添加層との境界面に識別マークをマーキングしておけば、型取り用のシリコーンゴム等で封止キャップの型を取ることで、封止キャップを複製しても、添加剤添加層の添加剤非添加層との境界面にマーキングされた識別マークを複製することはできず、これにより、本物と見間違える程の贋物を製作することができない。
また、別の遊技機から封止キャップを盗んできても、遊技機毎に異なる識別マークを封止キャップにマーキングしておけば、封止キャップの表面を削っても、識別マークを改竄することができなくなり、この点からも、贋物の封止キャップの作製が不可能となる。
ここで、本物と同様の行程で贋物の封止キャップを製造することも考えられるが、添加剤添加層と添加剤非添加層とが重なり合った笠状蓋部を有する封止キャップの成形や、添加剤添加層の添加剤非添加層との境界面へのレーザー照射による識別マークのマーキングは、加工設備のコストが高価なので、容易に実現することができず、従って、本物の封止キャップと見間違える程の贋物の製作は困難となり、これにより、前記目的が達成される。
【００１４】
（請求項２の効果）
請求項２記載の発明によれば、上記した請求項１記載の発明の効果に加え、次のような効果を奏する。
すなわち、請求項２記載の発明によれば、孔開けが容易に行えるパンチアウト部を笠状蓋部に設けたので、互いに接合された部材を分離するために、挿通孔の内部に挿通された接合具を取り外す際に、パンチアウト部に孔を開ければ、孔開け作業が容易に行え、開けた孔を通じて、接合具を取り外す作業も容易に行え、これにより、部材の分離作業を容易にすることができる。
ここで、パンチアウト部への孔開けが容易に行えることから、部材を不正に分離する際の孔開け作業も容易に行えるようになるが、孔開けが困難な非パンチアウト部と、孔開けが容易なパンチアウト部との両方にまたがって識別マークが形成されているので、パンチアウト部と同様の材質で同じ形状の贋部材で、形成した孔を塞いでも、孔を塞ぐ贋部材には、添加剤添加層及び添加剤非添加層が形成されておらず、また、真正の識別マークは、添加剤添加層の添加剤非添加層との境界面にマーキングされるので、パンチアウト部の境界面に形成されていた識別マークの一部分を、真正の識別マークと同様に当該贋部材の内部にマーキングすることが不可能となる。
従って、本物の封止キャップのパンチアウト部を別の部材に置き換えても、本物の封止キャップに見間違えることはなく、この点からも、本物の封止キャップに見間違える程の贋物の製作を困難にすることができる。
【００１５】
（請求項３の効果）
請求項３記載の発明によれば、上記した請求項１又は２記載の発明の効果に加え、次のような効果を奏する。
すなわち、請求項３記載の発明によれば、添加剤添加層の添加剤非添加層との境界面に波形の凹凸を形成したので、添加剤添加層を添加剤非添加層から剥離することが非常に難しくなり、境界面に形成されていた識別マークの改竄も非常に難しくなる。
一方、添加剤添加層の添加剤非添加層との境界面が平面の場合には、カッター等の鋭利な刃物を巧みに操ることにより、添加剤添加層を添加剤非添加層から綺麗に剥離できるおそれがあり、添加剤添加層を添加剤非添加層から綺麗に剥離できれば、境界面に形成されていた識別マークを削り取って別の識別マークを記入する等で、識別マークの改竄が可能となる。
しかしながら、請求項３記載の発明によれば、境界面に波形の凹凸を形成したので、添加剤添加層を添加剤非添加層から綺麗に剥離することができず、識別マークの改竄もできないので、この点からも、本物の封止キャップに見間違える程の贋物の製作を困難にすることができる。
【図面の簡単な説明】
【００１６】
【図１】本発明の第1実施形態の全体を示す正面図である。
【図２】前記実施形態に係る筐体内部を示す正面図である。
【図３】前記実施形態に係る主基板ケースを示す斜視図である。
【図４】図３のIV−IV線における断面図である。
【図５】前記実施形態に係る主基板ケースの蓋部を示す斜視図である。
【図６】前記実施形態に係る主基板ケースの要部を示す拡大断面図である。
【図７】前記実施形態に係る管理プレートを示す斜視図である。
【図８】前記実施形態に係る封止キャップを示す斜視図である。
【図９】前記実施形態に係る封止キャップを示す断面図である。
【図１０】前記実施形態に係る封止キャップを蓋部側から示す分解斜視図である。
【図１１】前記実施形態に係る封止キャップを筒部側から示す分解斜視図である。
【図１２】前記実施形態に係る封止キャップを示す分解状態の断面図である。
【図１３】前記実施形態に係る主基板ケースの関連付マークを示す斜視図である。
【図１４】前記実施形態に係る副基板ケースを示す正面図である。
【図１５】前記実施形態に係る副基板ケース用の関連付マークを示す平面図である。
【図１６】前記実施形態に係る副基板ケースの関連付マークを示す正面図である。
【図１７】本発明の第２実施形態を示す図8に相当する図である。
【図１８】前記実施形態に係る主基板ケースの関連付マークを示す斜視図である。
【図１９】前記実施形態に係る副基板ケースを示す正面図である。
【図２０】図１９のXX−XX線における断面図である。
【図２１】本発明の主基板ケースに係る変形例の要部を示す拡大斜視図である。
【図２２】本発明の副基板ケースに係る変形例の要部を示す拡大正面図である。
【図２３】本発明の関連付マークに係る変形例を示す平面図である。
【図２４】本発明の主基板ケースに係る別の変形例の要部を示す拡大斜視図である。
【発明を実施するための形態】
【００１７】
以下に、本発明を実施するための形態である実施形態について、図面を参照しながら説明する。
［第１実施形態］
（スロットマシン１の概要）
図１には、本発明の第１実施形態に係る遊技機としてのスロットマシン１が示されている。図１において、スロットマシン１は、三個の回転リール11の各々に記された複数種類の図柄が所定の組み合わせとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１８】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１９】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００２０】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００２１】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００２２】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算ボタン7Hが設けられている。
【００２３】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２４】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた後述する主制御基板15を内蔵する主基板ケース50、三個の回転リール11が回転自在に支持するとともに、これらの回転リール11のそれぞれを駆動する図示しないモータを備えたリールユニット10、内部に多数のメダルを貯留させる容器部12Aを備えるとともに受皿部6Aに向かってメダルを排出するホッパユニット12、及び、これらの装置に電力を供給する電源装置13等が設けられている。
このうち、リールユニット10は、それぞれが円筒状に形成された複数の回転リール11を有するものである。そして、これらの回転リール11の各外周面には、特に図示していないが、複数種類の図柄が記されている。
以上において、主制御基板15は、スロットマシン１の遊技動作を制御する制御回路が形成されている制御基板となっている。
【００２５】
前扉３の裏側の面には、表側の面に配置された液晶表示装置4Eに対応して、液晶表示装置4E、演出用照明装置4B〜4D及び音声出力部4F, 6Cの動作を制御する副制御基板16を内蔵する副基板ケース2Dが設けられている。
また、前扉３の裏側の面には、表側の面に開口されたメダル投入口7Bに対応して、投入されたメダルの適否を判定するメダルセレクタ14が設けられている。
【００２６】
(主基板ケース50)
次に、前述の主制御基板15を内蔵する主基板ケース50について簡単に説明する。
主基板ケース50は、図３及び図４に示すように、スロットマシン１の遊技動作を制御する制御回路が形成された主制御基板15を内部に収納するために、箱状に形成された本体部51を備えている。そして、本体部51は、外部から内部の視認が可能な透明合成樹脂製の部材であり、後述するベース部52と蓋部53とに分割可能となっている。なお、図３には、蓋部53のみが示され、ベース部52の図示は省略されている。
【００２７】
ベース部52は、図４の如く、全体がほぼ平板状に形成されるとともに、表側及び裏側の両方の面に様々な形態の突起が形成された部品となっている。
蓋部53は、図３及び図４の如く、ベース部52の電子部品が取り付けられた面を覆うために、ベース部52側の面が開口された略箱状の部材である。
更に詳しく説明すると、蓋部53は、ベース部52の電子部品が取り付けられた面と対向する長方形状の正面部53A と、正面部53A の四つの側縁からベース部52へ向かって延びる四つの側壁部53B とを備えた箱状の部材である。
【００２８】
ここで、蓋部53の正面部53A には、その上端縁近傍部分に形成されるとともに、円筒状に凹んだ一対の凹部53C が左右対称となるように設けられている。
この凹部53C の底部53D には、図４の如く、接合具であるネジ60を挿通させるネジ孔53E が形成されている。
また、凹部53C の内周面には、後述する封止キャップ70に形成されている楔形状の係止爪70A を係止させる係止凹部53F が形成されている。
また、蓋部53の四つの側壁部53B のうち、図４中、下方に配置された側壁部53G は、外壁部53H 及び内壁部53J からなる二重構造の側壁となっている。このうち、内壁部53J には、図４〜図６に示すように、ベース部52に形成された後述する係止フック部52A の先端を挿通させるフック挿通孔53K が複数形成されている。
【００２９】
ベース部52における蓋部53に臨む面は、主制御基板15が取り付けられる基板取付面52B となっている。
この基板取付面52B には、図４の如く、蓋部53の凹部53C に対応する位置に形成されるとともに、当該面から蓋部53に向かって円柱状に突出するボス部52C が設けられている。このボス部52C は、蓋部53側のネジ孔53E に挿通されたネジ60の先端と螺合する部位となっている。
また、基板取付面52B における図４中下方の端縁近傍には、蓋部53側のフック挿通孔53K に対応して前述の係止フック部52A が複数設けられている。これらの係止フック部52A の各々は、基端部分が基板取付面52B から蓋部53へ向かって突出し、途中部分が下方へ湾曲し、先端部分が下方へ垂れ下がった部位となっている。
【００３０】
以上において、主基板ケース50は、ベース部52に形成された係止フック部52A の先端部分を、蓋部53側のフック挿通孔53K の挿通させた状態で、蓋部53に形成された凹部53C の底部53D をベース部52のボス部52C に当接させることによって閉鎖され、さらに、蓋部53の底部53D に形成されたネジ孔53E に挿通したネジ60をボス部52C に螺合することによって、ベース部52に蓋部53が接合され、閉鎖状態に固定されるものとなっている。
この際、蓋部53の凹部53C は、図３の如く、接合具としてのネジ60が内部に挿通される挿通孔となっている。
また、ベース部52に接合された蓋部53の凹部53C には、図３及び図４の如く、封止キャップ70が嵌合されるようになっている。これにより、図４の如く、ネジ60が内部に挿通された状態のネジ孔53E 及びネジ60の頭部が封止キャップ70に封止されるようになっている。封止キャップ70については、後で詳しく説明する。
【００３１】
（管理プレート80）
このような主基板ケース50には、図３〜図６に示すように、スロットマシン１のシリアル番号等の管理情報80A が記されるとともに、本体部51の内面に沿わせて取り付けられる平板状の管理プレート80が設けられている。
すなわち、蓋部53の正面部53A における本体部51の内側となる内側面53L には、図５に示すように、図５中上下方向に延びるとともに、断面がＬ字形となった一対の突条53M が所定の間隔を開けて設けられている。
これらの突条53M の各々は、基端部分が内側面53L から突出し、途中部分がほぼ直角に折れ曲がり、先端部分が互いに近づく方向に延びた部位となっている。そして、このような突条53M の各々は、蓋部53の内側面53L とともに断面「コ」字形状の溝形部54を形成している。これらの溝形部54は、互いに開口が対向するように設けられている。
また、一対の突条53M の各々は、二つの辺を有するＬ字の基端側の一辺の図５中上端近傍を貫通する係止孔53N を備えたものとなっている。
【００３２】
さらに、一対の突条53M の間、換言すると、正面部53A における管理プレートが取り付けられる部位には、蓋部53の正面部53A を貫通し、本体部51の内部と外部とを連通する複数の第１通気口53P が設けられている。これらの第１通気口53P は、二列の第１通気口列53Q を形成している。これらの第１通気口列53Q は、それぞれ別の突条53M の近傍において当該突条53M に沿って延びるものとなっている。
【００３３】
管理プレート80は、透明な合成樹脂を長方形の平板状に形成した透明部材である。管理プレート80を形成する透明な合成樹脂には、所定波長のレーザー光（例えば、ＹＡＧレーザー又はＹＶＯ４  レーザーの光）を吸収して周囲の合成樹脂を黒色（不透明）に変化させる添加剤が添加されている。これにより、管理プレート80の表面には、所定波長のレーザー光の照射で黒色のマーキングが可能となっている。
この管理プレート80の図５中上下方向に延びる辺は、突条53M に応じた長さに設定されている。また、管理プレート80の図５中上下方向に延びる辺は、一対の突条53M の間隔に応じた長さに設定されている。さらに、管理プレート80の厚さは、蓋部53の内側面53L と突条53M とが形成する溝形部54の幅寸法に応じて設定されている。
【００３４】
このような管理プレート80には、図７に示すように、図７中左右に配置された端面のそれぞれから突出した半球形状の係止突起81が設けられている。これの係止突起81は、突条53M に設けられた係止孔53N に応じた位置に形成されている。
また、管理プレート80には、蓋部53側の複数の第１通気口53P に応じて、当該管理プレートを貫通する複数の第２通気口82が設けられている。
そして、複数の第２通気口82は、蓋部53側に形成された二列の第２通気口列53Q に対応する位置に配列されて、二列の第２換気口列82A を形成している。
【００３５】
以上において、管理プレート80は、図５の如く、図５中上方から、蓋部53の内側面53L と突条53M とが形成する溝形部54の内部に差し込まれることで、本体部51の内面に固定されるようになっている。
すなわち、管理プレート80は、左右の端面に設けられた半球形状の係止突起81が突条53M 側の係止孔53N の位置まで到達するまで、溝形部54の内部に差し込まれると、係止突起81が係止孔53N に嵌合して係止され、これにより、蓋部53の内側面53L 、すなわち、本体部51の内面への固定がなされるようになっている。
【００３６】
また、管理プレート80の第２通気口82は、本体部51の内面に管理プレート80が固定された状態、換言すると、管理プレート80が本体部51に取り付けられた状態では、第１通気口53P からずれた位置に配置されるように形成されている。
そして、本体部51には、図６に示すように、内側面53L を凹ませるとともに、第１通気口53P と連通するように形成された第１通気凹部53R が形成されている。
一方、管理プレート80には、図６の如く、蓋部53の内側面53L に密着する密着面83を凹ませるとともに、第２通気口82と連通するように形成された第２通気凹部84が形成されている。
【００３７】
この際、管理プレート80の第２通気口82は、管理プレート80が本体部51の内面に固定されると、本体部51側の第１通気口53P とは位置がずれているが、図６の如く、管理プレート80の第２通気凹部84と本体部51側の第１通気凹部53R とが互いに連通し、第１通気口53P と連通するようになっている。
これにより、本体部51には、管理プレート80が本体部51の内面に固定されると、本体部51の内部と外部とを連通するとともに、クランク状に折れ曲がった通気路85が形成されている。
以上において、本体部51及び管理プレート80のそれぞれには、本体部51に取り付けられた管理プレート80の第２通気口82と本体部51側の第１通気口53P とを接続する通気凹部として第１通気凹部53R 及び第２通気凹部84が形成されている。
【００３８】
図３に戻って、管理プレート80の管理情報80A （図３では「ＡＫＣ４７」）は、管理プレート80が本体部51の内部に取り付けられ、且つ、ベース部52及び蓋部53が相互に接合された状態で、本体部51の外部から照射された所定波長のレーザー光によって、管理プレート80の密着面83にマーキングされたものとなっている。
【００３９】
（封止キャップ70）
次に、ネジ60が内部に挿通された凹部53C を封止する封止キャップ70について詳しく説明する。
封止キャップ70は、透明な合成樹脂から形成されたものであり、図８及び図９に示すように、本体部51に形成された凹部53C の内部に挿入される筒状の筒部71と、凹部53C を塞ぐ蓋として筒部71に一体的に形成された笠状蓋部72とを備えたものとなっている。
【００４０】
筒部71は、三角形の頂部を面取りした六角形状の断面を有する筒状の部位である。この筒部71には、図８の如く、三角形の面取りされた三つの部位にそれぞれ相当する幅の狭い三つの挟幅側面71A と、三角形の三つの辺にそれぞれ相当する幅の広い三つの広幅側面71B とが設けられている。
これらのうち、三つの挟幅側面71A のそれぞれには、楔形状に形成された前述の係止爪70A が形成されている。封止キャップ70は、本体部51側の凹部53C の内部に嵌合すると、凹部53C の内周面に形成された係止凹部53F に係止爪70A が嵌合し、係止凹部53F によって係止爪70A が係止され、凹部53C から抜けないようになっている。
【００４１】
笠状蓋部72は、筒部71の六角形状の断面よりも大きな平たい円形の断面を有する平たい円柱状の部位である。この笠状蓋部72の周縁部分は、筒部71の挟幅側面71A 及び広幅側面71B よりも径方向外側へ突出した鍔状となっている。
円柱状に形成された笠状蓋部72の周縁部分及び中央部分は、図９に示されるように、肉厚が相違し、中央部分の肉厚が周縁部分よりも著しく薄くなっている。これにより、笠状蓋部72は、中央部が孔開けの容易なパンチアウト部73とされ、周縁部、すなわち、パンチアウト部73の周囲部分が、孔開けの困難な非パンチアウト部74となっている。
【００４２】
パンチアウト部73は、封止キャップ70で封止されたネジ60を緩める際に、容易に押し破ることが可能となっている。これにより、ネジ60を緩めるドライバの先端を挿通させるための孔である図示しないドライバ挿通孔が容易に形成可能となっている。
このようなパンチアウト部73によって、主基板ケース50は、主制御基板15を内部に収納し、且つ、封止キャップ70で封印された後開放するにあたり、封止キャップ70の笠状蓋部72にドライバ挿通孔が容易に形成されるので、ネジ60を緩める作業が迅速に行え、当該主基板ケース50を開放する作業も迅速且つ容易に行えるようになっている。
【００４３】
以上のような封止キャップ70は、二色射出成形法によって二種類の異なる合成樹脂のそれぞれからなる第１樹脂部75及び第２樹脂部76を備えている。
図１０〜図１２には、実際には分解不可能であるが、封止キャップ70が第１樹脂部75と第２樹脂部76とに分解して示されている。
第１樹脂部75は、ＡＢＳ等の靱性に優れた透明な合成樹脂に、所定波長のレーザー光が照射さると、当該レーザー光を吸収して周囲の合成樹脂を不透明に変化させる添加剤が添加されたものを射出成形することで形成された部位である。
第２樹脂部76は、アクリル等の比較的脆い透明な合成樹脂を射出成形することで形成された部位であり、前述の添加剤は添加されておらず、よって、所定波長のレーザー光の照射でマーキングされることのないように形成されている。
【００４４】
図６に戻って、第１樹脂部75及び第２樹脂部76の境界70B は、図６の如く、笠状蓋部72の内部に形成されている。
これにより、笠状蓋部72には、照射された所定波長のレーザー光を吸収して周囲の合成樹脂を不透明に変化させる添加剤が添加され、所定波長のレーザー光の照射でマーキングが可能となった添加剤添加層72A と、この添加剤添加層72A と重なり合う層として形成され、且つ、前述の添加剤が添加されておらず、所定波長のレーザー光の照射でマーキングされることのない添加剤非添加層72B とが設けられている。
そして、第２樹脂部76に接している第１樹脂部75の境界面75A 換言すると、添加剤非添加層72B に接している添加剤添加層72A の境界面75A には、添加剤非添加層72B を通り抜けてきた所定波長のレーザー光の照射により、予め設定された識別マークがマーキングされるようになっている。
【００４５】
第１樹脂部75は、図１０〜図１２に示すように、略六角筒状の筒部71と、円盤状に形成された添加剤非添加層72B とを含んだ部位である。
この際、第１樹脂部75の境界面75A は、図１０及び図１２の如く、その中央部分に第２樹脂部76側へ膨出した膨出部75B が設けられたものとなっている。また、境界面75A の周縁部分には、波形の凹凸が形成されている波形部75C が設けられている。
【００４６】
第２樹脂部76は、図１０〜図１２の如く、円盤状に形成された添加剤非添加層72B のみからなる部位である。
この第２樹脂部76の図１２中左側の面は、図１２に示すように、中央部分が図中左側、すなわち、外側へ膨出したドーム状面76A となっている。
また、第２樹脂部76における第１樹脂部75側に臨んだ面には、第１樹脂部75側の添加剤添加層72A を内部に収納可能な凹部76B が形成されている。
第２樹脂部76に形成された凹部76B の底面76C は、第１樹脂部75の境界面75A に対応した形態となっている。
すなわち、第２樹脂部76の底面76C は、図１１及び図１２の如く、その中央部分に第１樹脂部75の膨出部75B に対応して凹んだ窪み部76D が設けられている。また、窪み部76D の周縁部分には、第１樹脂部75側の波形部75C に対応した波形の凹凸が形成されている波形部76E が設けられている。
【００４７】
ここで、封止キャップ70は、第１樹脂部75及び第２樹脂部76の境界面（境界面75A 及び底面76C ）が平面でなく、互いに対応した凹凸面となっており、これらの境界面を互いに密着させて、第１樹脂部75及び第２樹脂部76が一体化されている。
これにより、カッター等の鋭利な刃物を巧みに操っても、第１樹脂部75及び第２樹脂部76を綺麗に分離できず、ひいては、添加剤添加層72A を添加剤非添加層72B から綺麗に剥離することも不可能となっている。
【００４８】
また、図８に戻って、封止キャップ70は、図８の如く、添加剤非添加層72B に接している添加剤添加層72A の境界面75A に、添加剤非添加層72B を通り抜けてきた所定波長のレーザービームＬ（レーザー光）が照射されることで、予め設定された識別マーク77（図８では「ＡＫＣ４７」）が境界面75A にマーキングされるものである。そして、マーキングされた識別マーク77は、パンチアウト部73及び非パンチアウト部74の両方にまたがって形成されている。そして、識別マーク77は、スロットマシン１の機種毎に異なる形態を有するものとなっている。
なお、図８において、識別マーク77は、作図の都合上、平面に記された形態で表現されているが、実際には、三次元曲面に記されることから、歪んだ形態でマーキングされるようになっている。
【００４９】
以上において、主基板ケース50は、内部に主制御基板15を収納した状態で、ベース部52に蓋部53がネジ60で接合され、且つ、このネジ60が内部に挿通された凹部53C が、識別マーク77がマーキングされた封止キャップ70で封止されるようになっている。
そして、主基板ケース50は、凹部53C が封止キャップ70によって封止されると、図１３に示すように、封止キャップ70の笠状蓋部72の表面であるドーム状面76A と、凹部53C の周囲を囲む本体部51の正面部53A の表面56とにまたがって、封止キャップ70及び本体部51を互いに関連付ける関連付マーキング群55（図１３では「ＡＫＣ４７」）が形成されるようになっている。
【００５０】
この際、関連付マーキング群55は、前述の所定波長のレーザー光（例えば、ＹＡＧレーザー又はＹＶＯ４レーザーの光）とは異なる所定波長のレーザー光（例えば、ＣＯ２ レーザーの光）でレーザー刻印されることによってマーキングされたものである。
また、関連付マーキング群55は、文字、記号、図形若しくは模様又はこれらの組み合わせからなり、全体で一つの意味を持つものであり、別の主基板ケース50とは異なる態様となるように、笠状蓋部72のドーム状面76A と、本体部51の表面56とにまたがって刻印されるものである。換言すると、関連付マーキング群55は、同一の主基板ケース50に属する封止キャップ70と本体部51とを一対一で関連付けるものとなっている。
図１３では、関連付マーキング群55として、スロットマシン１を特定するシリアル番号であって、アルファベットと数字とからなる「ＡＫＣ４７」が採用されている。
これにより、主基板ケース50は、オリジナルの封止キャップ70が取り外され、別の主基板ケース50から取り外された非オリジナルの封止キャップ70が当該凹部53C に嵌合されても、当該本体部51に刻印された関連付マーキング群55と、非オリジナルの封止キャップ70になされている関連付マーキング群55とが整合しないので、別の主基板ケース50から取り外した封止キャップ70の使用が簡単且つ明瞭に判別可能となっている。
【００５１】
(副基板ケース2D)
次に、前述の副制御基板16を内蔵する副基板ケース2Dについて簡単に説明する。
副基板ケース2Dは、図１４に示すように、スロットマシン１の遊技動作を制御する制御回路が形成された副制御基板16を内部に収納するために、箱状に形成された本体部91を備えている。
そして、本体部91は、外部から内部の視認が可能な透明合成樹脂製の部材である。この本体部91には、副制御基板16が取り付けられている平板状のベース部92と、ベース部92に取り付けられた副制御基板16に臨む面が開口された箱状の蓋部93とが設けられている。
このような本体部91は、ベース部92における副制御基板16が取り付けられた面のほぼ全体を覆うように、蓋部93が当該ベース部92にあてがわれ、この状態で、蓋部93とベース部92とが相互に接合されたものとなっている。
【００５２】
ここで、略長方形に形成された蓋部93の正面部93A の四つの角隅部97A〜97Dには、主基板ケース50に形成されたものと同様の凹部53C がそれぞれ設けられている。
そして、凹部53C の内部には、特に図示しないが、主基板ケース50の接合に利用したものと同様のネジ60及び封止キャップ70が挿通されている。このうち、ネジ60によって、蓋部93とベース部92とが相互に接合され、封止キャップ70によって、蓋部93とベース部92とを接合するネジ60の頭部が封止されるようになっている。
【００５３】
このような副基板ケース2Dには、凹部53C が封止キャップ70で封止されると、封止キャップ70の笠状蓋部72の表面と、凹部53C の周囲を囲む本体部91の正面部93A の表面96とにまたがって、封止キャップ70及び本体部51を互いに関連付ける関連付マーク20が刻印されるようになっている。
ここで、関連付マーク20のうち、関連付マーク20A は、蓋部93の正面部93A における図１４中、左上の角隅部97A に刻印され、関連付マーク20B は、蓋部93の正面部93A における図１４中、右上の角隅部97B に刻印され、関連付マーク20C は、蓋部93の正面部93A における図１４中、左下の角隅部97C に刻印され、関連付マーク20D は、蓋部93の正面部93A における図１４中、右下の角隅部97C に刻印されている。
【００５４】
関連付マーク20の各々は、主基板ケース50に形成した関連付マーキング群55B と同様に、所定波長のレーザー光（例えば、ＣＯ２  レーザーの光）で刻印されたものである。
更に詳しく説明すると、関連付マーク20は、封止キャップ70に設けられている笠状蓋部72と同程度の直径を有する円形のマークである。
これらの関連付マーク20の各々には、図１５（Ａ）〜（Ｄ）に示すように、中心角が９０度に設定された四つの扇形状の第１〜第４文字枠部21〜24と、中央部分に配置された円形の位置表示部25とが設けられている。そして、関連付マーク20には、第１文字枠部21から第４文字枠部24にかけて「ツイン３」という機種名が記されている。
【００５５】
第１文字枠部21は、関連付マーク20における図１５中、右上に位置する部位であり、図１５中、水平方向に延びる多数の直線からなるハッチングの地に、「ツ」の文字が白抜きされたものである。
第２文字枠部22は、関連付マーク20における図１５中、右下に位置する部位であり、図１５中、右上がりに延びる多数の直線からなるハッチングの地に、「イ」の文字が白抜きされたものである。
第３文字枠部23は、関連付マーク20における図１５中、左下に位置する部位であり、図１５中、垂直に延びる多数の直線からなるハッチングの地に、「ン」の文字が白抜きされたものである。
第４文字枠部24は、関連付マーク20における図１５中、左上に位置する部位であり、図１５中、右下がりに延びる多数の直線からなるハッチングの地に、「３」の文字が白抜きされたものである。
【００５６】
関連付マーク20A〜20Dのそれぞれの位置表示部25には、蓋部93の正面部93A における刻印される位置に応じた文字が記されている。
すなわち、関連付マーク20A の位置表示部25A には、蓋部93の正面部93A における角隅部97A に刻印されることを示す「１」の文字が記されている。
関連付マーク20B の位置表示部25B には、蓋部93の正面部93A における角隅部97B に刻印されることを示す「２」の文字が記されている。
関連付マーク20C の位置表示部25C には、蓋部93の正面部93A における角隅部97C に刻印されることを示す「３」の文字が記されている。
関連付マーク20D の位置表示部25D には、蓋部93の正面部93A における角隅部97D に刻印されることを示す「４」の文字が記されている。
【００５７】
以上のような関連付マーク20は、円形に形成された当該関連付マーク20の中心点を中心にして、その周縁部分を、３６０度を２以上の整数で除して得た商の値の角度だけ回転させても、回転前の自らの形状と重なることがない回転非対称形となっている。
そして、副基板ケース2Dの凹部53C を封止している封止キャップ70の笠状蓋部72には、他のスロットマシン１に設置されている副基板ケース2Dの凹部53C を封止している封止キャップ70の笠状蓋部72とは、互いに回転角度位置が相違した関連付マーク20の部位が刻印されている。
【００５８】
換言すると、関連付マーク20は、複数の副基板ケース2Dを流れ作業で次々に作製するにあたり、一の副基板ケース2Dに対して、当該関連付マーク20の刻印が完了すると、次の副基板ケース2Dに対しては、その回転角度位置が所定角度（例えば、９０度）だけ回転した形態の刻印がなされるようになっている。
以下に、副基板ケース2Dの角隅部97A に形成された凹部53C に嵌め込まれた封止キャップ70の笠状蓋部72に刻印される関連付マーク20A を例として挙げて、関連付マーク20について具体的に説明する。
【００５９】
すなわち、図４に示した副基板ケース2Dの角隅部97A については、図１６（Ａ）に示すように、笠状蓋部72の図１６（Ａ）中、頂上部分に関連付マーク20A の中心点が配置されるように、関連付マーク20A が刻印されている。これにより、副基板ケース2Dにおける角隅部97A の凹部に嵌め込まれた封止キャップ70の笠状蓋部72には、図１６（Ａ）の如く、関連付マーク20A の第１文字枠部21及び第４文字枠部24が刻印されている。
【００６０】
この図１６（Ａ）に示した副基板ケース2Dの次に、関連付マーク20A が刻印される副基板ケース2Dの角隅部97A については、図１６（Ｂ）に示すように、笠状蓋部72の図１６（Ｂ）中、頂上部分に関連付マーク20A の中心点が配置されるとともに、図１６（Ａ）に示した関連付マーク20A とは、回転角度位置が時計回りに９０度回転した関連付マーク20A が刻印されている。これにより、封止キャップ70の笠状蓋部72には、図１６（Ｂ）の如く、関連付マーク20A の第４文字枠部24及び第３文字枠部23が刻印されている。
【００６１】
図１６（Ｂ）に示した副基板ケース2Dの次に、関連付マーク20A が刻印される副基板ケース2Dの角隅部97A については、図１６（Ｃ）に示すように、笠状蓋部72の図１６（Ｃ）中、頂上部分に関連付マーク20A の中心点が配置されるとともに、図１６（Ｂ）に示した関連付マーク20A とは、回転角度位置が時計回りに９０度回転した関連付マーク20A が刻印されている。これにより、封止キャップ70の笠状蓋部72には、図１６（Ｃ）の如く、関連付マーク20A の第３文字枠部23及び第２文字枠部22が刻印されている。
【００６２】
図１６（Ｃ）に示した副基板ケース2Dの次に、関連付マーク20A が刻印される副基板ケース2Dの角隅部97A については、図１６（Ｄ）に示すように、笠状蓋部72の図１６（Ｄ）中、頂上部分に関連付マーク20A の中心点が配置されるとともに、図１６（Ｃ）に示した関連付マーク20A とは、回転角度位置が時計回りに９０度回転した関連付マーク20A が刻印されている。これにより、封止キャップ70の笠状蓋部72には、図１６（Ｄ）の如く、関連付マーク20A の第２文字枠部22及び第１文字枠部21が刻印されている。
【００６３】
以上において、封止キャップ70の笠状蓋部72が嵌合された副基板ケース2Dには、複数の副基板ケース2Dに対して連続的に行われるレーザー刻印作業で関連付マーク20が刻印され、関連付マーク20の刻印の際に、前回の刻印作業とは、回転角度位置が所定角度ずつ異なる形態の関連付マーク20の刻印がなされるようになっている。これにより、一のスロットマシン１が有する封止キャップ70の笠状蓋部72には、他のスロットマシン１が有する封止キャップ70の笠状蓋部72とは、関連付マーク20の回転角度位置が相違した部位が形成されるようになっている。
従って、笠状蓋部72に形成される関連付マーク20の部位は、同じ機種であっても、スロットマシン１毎に異なるものとなっている。
なお、副基板ケース2Dの製造数が多い場合には、次の関連付マーク20を刻印する際に、関連付マーク20の回転角度位置をより小さい角度で回転させ、関連付マーク20の種類や笠状蓋部72に形成される関連付マーク20の部位のヴァリエーションを増やすことが好ましく、さらに、関連付マーク20のそのもの種類を増やすことで、関連付マーク20の種類や笠状蓋部72に形成される関連付マーク20の部位のヴァリエーションを増やしてもよい。
【００６４】
（第１実施形態の効果）
前述のような本実施形態によれば、次のような効果が得られる。
すなわち、ネジ60が内部に挿通される凹部53C を封止する封止キャップ70の蓋部53に対し、照射された所定波長のレーザー光を吸収して周囲の合成樹脂を不透明に変化させる添加剤が添加され、所定波長のレーザー光の照射でマーキングが可能となった添加剤添加層72A と、この添加剤添加層72A と重なり合う層として形成され、且つ、添加剤が添加されておらず、所定波長のレーザー光の照射でマーキングされることのない添加剤非添加層72B とを設け、添加剤非添加層72B に接している添加剤添加層72A の境界面75A に、添加剤非添加層72B を通り抜けてきた所定波長のレーザー光の照射で予め設定された識別マーク77をマーキングすることができるようにし、添加剤添加層72A の添加剤非添加層72B との境界面75A に識別マーク77をマーキングしておけば、型取り用のシリコーンゴム等で封止キャップ70の型を取ることで、封止キャップ70を複製しても、添加剤添加層72A の添加剤非添加層72B との境界面75A にマーキングされた識別マーク77を複製することができず、これにより、本物と見間違える程の贋物を製作することができなくなる。
【００６５】
また、別のスロットマシン１から封止キャップ70を盗んできても、スロットマシン１毎に異なるシリアル番号等を識別マーク77とし、この識別マーク77を封止キャップ70にマーキングしておけば、封止キャップ70の表面を削っても、識別マーク77を改竄することができなくなり、この点からも、贋物の封止キャップ70の作製が不可能となる。
ここで、本物と同様の行程で贋物の封止キャップ70を製造することも考えられるが、添加剤添加層72A と添加剤非添加層72B とが重なり合った蓋部53を有する封止キャップ70の成形や、添加剤添加層72A の添加剤非添加層72B との境界面75A へのレーザー照射による識別マーク77のマーキングは、加工設備のコストが高価なので、容易に実現することができず、従って、本物の封止キャップ70と見間違える程の贋物の製作を困難にすることができ、不正行為を有効に防止することができる。
【００６６】
さらに、スロットマシン１の機種毎に異なる識別マーク77を封止キャップにマーキングするようにしたので、異なる機種のスロットマシン１から取り外した封止キャップ70を利用しようとしても、識別マーク77の相違から、別の機種から取り外した封止キャップ70を利用したことが簡単且つ明瞭に判別できる。
【００６７】
ここで、別の機種から取り外した封止キャップ70にマーキングされた識別マーク77を、不正行為の対象となる遊技機に整合させるために、当該識別マーク77を改竄することが考えられるが、添加剤添加層72A の添加剤非添加層72B との境界面75A に識別マーク77がマーキングされているので、封止キャップ70の表面を削っても、識別マーク77を改竄することができず、別の機種からから取り外した封止キャップ70の識別マーク77を、不正行為の対象となるスロットマシン１に整合させることができず、これにより、不正行為の防止を有効にはかることができる。
【００６８】
また、凹部53C を封止した封止キャップ70の笠状蓋部72の表面、及び、副基板ケース2Dにおける凹部53C の周囲を囲む本体部91の正面部93A の表面96には、これらの両方にまたがって、封止キャップ70及び副基板ケース2Dを互いに関連付ける割り印としての関連付マーク20を刻印し、且つ、この関連付マーク20を、所定の回転非対称形のマークとし、さらに、凹部53C を封止している封止キャップ70の笠状蓋部72に関連付マーク20をマーキングする際に、他のスロットマシン１の笠状蓋部72とは、関連付マーク20の回転角度位置が相違した部位を笠状蓋部72に刻印するようにしたので、笠状蓋部72に形成される関連付マーク20の部位は、同じ機種であっても、スロットマシン１毎に異なるようになる。
このため、別のスロットマシン１から取り外した封止キャップ70で凹部53C を封止すると、別のスロットマシン１から取り外した封止キャップ70の笠状蓋部72になされている関連付マーク20の部位は、当該スロットマシン１の副基板ケース2Dに刻印されている関連付マーク20の部位とは整合しないので、この点からも、同じ機種であっても、別のスロットマシン１から取り外した封止キャップ70の使用を簡単且つ明瞭に判別することができ、従って、不正行為の防止を有効にはかることができる。
【００６９】
さらに、蓋部53に孔開けが容易に行えるパンチアウト部73を設けたので、閉鎖した主基板ケース50を開放するために、凹部53C の内部に挿通されたネジ60を緩める際に、パンチアウト部73に孔を開ければ、孔開け作業が容易に行え、開けた孔を通じて、ネジ60を緩める作業も容易に行え、これにより、主基板ケース50の開放作業を容易にすることができる。
ここで、パンチアウト部73への孔開けが容易に行えることから、主基板ケース50を不正に開放する際の孔開け作業も容易に行えるようになるが、孔開けが困難な非パンチアウト部73と、孔開けが容易なパンチアウト部73との両方にまたがって識別マーク77が形成されているので、パンチアウト部73と同様の材質で同じ形状の贋部材を作成し、この贋部材で形成した孔を塞いでも、孔を塞ぐ贋部材には、添加剤添加層72A 及び添加剤非添加層72B が形成されておらず、また、真正の識別マーク77は、添加剤添加層72A の添加剤非添加層72B との境界面75A にマーキングされるので、パンチアウト部73の境界面75A に形成されていた識別マーク77の一部分を、真正の識別マーク77と同様に、当該贋部材の内部にマーキングすることが不可能となる。
従って、本物の封止キャップ70のパンチアウト部73を別の部材に置き換えても、本物の封止キャップ70に見間違えることはなく、この点からも、本物の封止キャップ70に見間違える程の贋物の製作を困難にすることができる。
【００７０】
また、添加剤添加層72A の添加剤非添加層72B との境界面75A に波形の凹凸を形成したので、添加剤添加層72A を添加剤非添加層72B から剥離することが非常に難しくなり、境界面75A に形成されていた識別マーク77の改竄も非常に難しくなる。
一方、添加剤添加層72A の添加剤非添加層72B との境界面75A が平面の場合には、カッター等の鋭利な刃物を巧みに操ることにより、添加剤添加層72A を添加剤非添加層72B から綺麗に剥離できるおそれがあり、添加剤添加層72A を添加剤非添加層72B から綺麗に剥離できれば、境界面75A に形成されていた識別マーク77を削り取って別の識別マーク77を記入する等で、識別マーク77の改竄が可能となる。
しかしながら、前述のように、境界面75A に波形の凹凸を形成したので、添加剤添加層72A を添加剤非添加層72B から綺麗に剥離することができず、識別マーク77の改竄もできないので、この点からも、本物の封止キャップ70に見間違える程の贋物の製作を困難にすることができる。
【００７１】
さらに、管理プレート80として、レーザー光を吸収して周囲の合成樹脂を不透明に変化させる添加剤が添加されたものを採用したので、シリアルナンバー等の管理情報が何ら記されていないブランク状態の管理プレート80及び主制御基板15を主基板ケース50の本体部51内に入れた後、ベース部52及び蓋部53を相互に接合して主基板ケース50を閉鎖すれば、主制御基板15を含んで構成される制御装置は、それ以上組立作業が不要な完成状態となり、この状態で、製品検査を行い、この製品検査に合格したものについて、主基板ケース50の外部から所定波長のレーザー光を照射すれば、主基板ケース50を開けることなく、管理プレート80に管理情報等をマーキングすることができる。
このため、管理プレート80を内部に収納した状態で主基板ケース50を閉鎖しても、主基板ケース50の外部からレーザー光で管理プレート80へのマーキングを行うことができるので、管理プレート80を覆うカバーを別途設ける必要がなく、且つ、主基板ケース50を閉鎖した後に、管理プレート80を覆うカバーを主基板ケース50に取り付ける取付作業も不要となり、管理プレート80及び主制御基板15等を内部に収納した状態で主基板ケース50を閉鎖することで、それ以上組立作業が不要な完成状態とすることができる。
しかも、この完成状態では、主基板ケース50を接合するネジ60が封止キャップ70によって封止され、その後、主基板ケース50を開放するには、封止キャップ70を破壊する必要がある。このため、閉鎖した後、主基板ケース50を開放すると、封止キャップ70が破壊され、これにより、主基板ケース50の開放が容易に判別でき、従って、防犯機能を充分確保することができる。
【００７２】
また、本体部51における管理プレート80が取り付けられる部位を貫通して、当該本体部51の内部と外部とを連通する第１通気口53P を本体部51に設け、管理プレート80に、当該管理プレート80を貫通するとともに、本体部51に取り付けられた状態で、第１通気口53P からずれるように形成された第２通気口82を設け、且つ、本体部51及び管理プレート80のそれぞれに、本体部51に取り付けられた管理プレート80の第２通気口82と本体部51側の第１通気口53P とを接続する第１通気凹部53R 及び第２通気凹部84を形成したので、本体部51に管理プレート80を固定すると、本体部51の内部と外部とを連通するとともに、クランク状に折れ曲がった通気路85が形成されるようになる。このクランク状に折れ曲がった通気路85よって主基板ケース50内の空気が換気され、発熱する主制御基板15を冷却することができるうえ、この通気路85がクランク状に折れ曲がっているので、細長い器具を第１通気口53P の内部に挿入しても、細長い器具の先端が主基板ケース50の内部に到達することがなく、この点からも、管理プレート80に係る作業を増やすことなく、防犯機能を充分に確保することができる。
【００７３】
さらに、凹部53C を封止した封止キャップ70に設けられた笠状蓋部72のドーム状面76A 、及び、凹部53C の周囲を囲む本体部51の表面56に、封止キャップ70及び本体部51を互いに関連付ける関連付マーキング群55を形成したので、別の主基板ケース50から取り外した封止キャップ70で凹部53C を封止すると、本体部51になされている関連付マーキング群55と、別の主基板ケース50から取り外した封止キャップ70になされている関連付マーキング群55とが整合しないので、従って、別の主基板ケース50から取り外した封止キャップ70の使用を簡単且つ明瞭に判別することができる。
【００７４】
［第２実施形態］
図１７〜２０には、本発明の第２実施形態が示されている。
なお、以下の説明において、前記第１実施形態と同様の装置や部位等には、同一符号を付し、その説明を省略又は簡略する。
本第２実施形態は、前記第１実施形態における封止キャップ70の表面及び主基板ケース50の表面の両方にまたがって形成された関連付マーキング群55を、封止キャップ70の境界面75A 及び主基板ケース50の表面の両方にまたがって形成された関連付マーキング群55B とし、且つ、封止キャップ70の表面及び副基板ケース2Dの表面の両方にまたがって形成された関連付マーク20を、封止キャップ70の境界面75A 及び副基板ケース2Dの表面の両方にまたがって形成された関連付マーキング群55C としたものである。
【００７５】
すなわち、封止キャップ70は、図17に示すように、主基板ケース50の凹部53Cに嵌め込まれる前は、境界面75A に何らマーキングがなされていないものとなっている。
一方、主基板ケース50は、ベース部52と蓋部53のうち、少なくとも、蓋部53を形成する透明合成樹脂に、所定波長のレーザー光（例えば、ＹＡＧレーザー又はＹＶＯ4 レーザーの光）を吸収して周囲の合成樹脂を黒色（不透明）に変化させる添加剤が添加されたものとなっている。これにより、少なくとも蓋部53の表面には、所定波長のレーザー光の照射で黒色のマーキングが可能となっている。
【００７６】
このような主基板ケース50は、凹部53C が封止キャップ70で封止されると、図１８に示すように、封止キャップ70の笠状蓋部72の境界面75A と、凹部53C の周囲を囲む本体部51の正面部53A の表面56とにまたがって、封止キャップ70及び本体部51を互いに関連付ける関連付マーキング群55B （図１８では「ＡＫＣ４７」）が形成されるようになっている。
【００７７】
この際、関連付マーキング群55B は、前述の所定波長のレーザー光（例えば、ＹＡＧレーザー又はＹＶＯ4 レーザーの光）でマーキングされたものである。
また、関連付マーキング群55B は、文字、記号、図形若しくは模様又はこれらの組み合わせからなり、全体で一つの意味を持つものであり、同一機種における別のスロットマシン１に備えられている主基板ケース50とは異なる態様となるように、笠状蓋部72の境界面75A と、本体部51の表面56とにまたがってマーキングされるものである。換言すると、関連付マーキング群55B は、同一の主基板ケース50に属する封止キャップ70と本体部51とを一対一で関連付けるものとなっている。
更に具体的に説明すると、関連付マーキング群55B としては、図１８の如く、スロットマシン１を特定するシリアル番号であって、アルファベットと数字とからなる「ＡＫＣ４７」が採用されている。
これにより、主基板ケース50は、オリジナルの封止キャップ70が取り外され、別の主基板ケース50から取り外された非オリジナルの封止キャップ70が当該凹部53C に嵌合されても、当該本体部51に刻印された関連付マーキング群55B と、非オリジナルの封止キャップ70になされている関連付マーキング群55B とが整合しないので、別の主基板ケース50から取り外した封止キャップ70の使用が簡単且つ明瞭に判別可能となっている。
【００７８】
そして、関連付マーキング群55B は、封止キャップ70側に記されるキャップ側部57と、本体部51側に記されるケース側部58とを備え、このうち、キャップ側部57が封止キャップ70の識別マークとなっている。
これにより、関連付マーキング群55B をマーキングする工程と、識別マーク（キャップ側部57）をマーキングする工程とが一度のレーザーマーキング工程で行え、主基板ケース50の製造作業の効率化を図ることが可能となっている。
【００７９】
副基板ケース2Dは、ベース部92及び蓋部93のうち、少なくとも、蓋部93を形成する透明合成樹脂に、所定波長のレーザー光（例えば、ＹＡＧレーザー又はＹＶＯ4 レーザーの光）を吸収して周囲の合成樹脂を黒色（不透明）に変化させる添加剤が添加されたものとなっている。これにより、少なくとも蓋部93の表面には、所定波長のレーザー光の照射で黒色のマーキングが可能となっている。
【００８０】
このような副基板ケース2Dは、凹部53C が封止キャップ70で封止されると、図１９及び図２０に示すように、封止キャップ70の笠状蓋部72の境界面75A と、凹部53C の周囲を囲む本体部91の正面部93A の表面96とにまたがって、封止キャップ70及び本体部51を互いに関連付ける関連付マーキング群55C が形成されるようになっている。
【００８１】
この際、関連付マーキング群55C は、主基板ケース50に形成した関連付マーキング群55B と同様に、所定波長のレーザー光（例えば、ＹＡＧレーザー又はＹＶＯ4 レーザーの光）でマーキングされたものである。
また、関連付マーキング群55C は、文字、記号、図形若しくは模様又はこれらの組み合わせからなり、全体で一つの意味を持つものであり、主基板ケース50や別の副基板ケース2Dとは異なる態様となるように、笠状蓋部72の境界面75A と、本体部91の表面96とにまたがってマーキングされるものである。換言すると、関連付マーキング群55C は、同一の副基板ケース2Dに属する封止キャップ70と本体部91とを一対一で関連付けるものとなっている。
更に具体的に説明すると、関連付マーキング群55C としては、図１４の如く、スロットマシン１を特定するシリアル番号であって、ひらがなと数字とからなる「ついん３」が採用されている。
これにより、副基板ケース2Dは、オリジナルの封止キャップ70が取り外され、主基板ケース50又は別の副基板ケース2Dから取り外された非オリジナルの封止キャップ70が当該凹部53C に嵌合されても、当該本体部91に刻印された関連付マーキング群55C と、非オリジナルの封止キャップ70になされている関連付マーキング群55C とが整合しないので、主基板ケース50又は別の副基板ケース2Dから取り外した封止キャップ70の使用が簡単且つ明瞭に判別可能となっている。
【００８２】
そして、関連付マーキング群55C は、図２０の如く、封止キャップ70側に記されるキャップ側部57A と、本体部91側に記されるケース側部58B とを備え、このうち、キャップ側部57A が封止キャップ70の識別マークとなっている。
これにより、関連付マーキング群55C をマーキングする工程と、識別マーク（キャップ側部57A ）をマーキングする工程とが一度のレーザーマーキング工程で行え、副基板ケース2Dの製造作業の効率化を図ることが可能となっている。
【００８３】
（第2実施形態の効果）
前述のような第2実施形態によっても、前記第1実施形態と同様の作用、効果を奏することができるほか、次のような効果を付加できる。
すなわち、封止キャップ70の笠状蓋部72の一部である添加剤添加層72A と、本体部51, 91の少なくとも蓋部53, 93とを、所定波長のレーザー光の照射に反応する添加剤が添加された透明合成樹脂で形成したので、凹部53C を封止した封止キャップ70の笠状蓋部72の境界面75A へのマーキング、及び、接合対象となる本体部51, 91に形成された凹部53C を囲む周囲の部位の表面56, 96へのマーキングを同時に行うことができるようになり、凹部53C を封止した封止キャップ70のマーキングと、接合対象となる基板ケース50, 2Dにおける凹部53C を囲む周囲の部位の表面56, 96へのマーキングとを別々の作業工程で行う場合よりも、作業工程を一つ減らすことができ、換言すると、封止キャップ70への単独マーキング作業を省略でき、基板ケース50, 2Dの接合作業の効率を向上でき、ひいては、スロットマシン１の生産効率を向上することができる。
【００８４】
なお、本発明は、前記実施形態に限定されるものではなく、本発明の目的を達成できる範囲における変形及び改良などをも含むものである。
例えば、前記第1実施形態では、基板ケースのベース部に蓋部をネジ等の接合具で接合したが、接合具で相互に接合される部材としては、ベース部及び蓋部に限らず、例えば、基板ケースに収納された制御基板に接続されるコネクターを覆うコネクターカバーと、このコネクターカバーが取り付けられる基板ケースとを、ネジ等の接合具で接合されるものとしてもよく、遊技機に設けられているとともに互いに接合される部材であれば、具体的な形状や構造は限定されない。
この際、互いに接合される部材の少なくとも一の部材に、接合具を挿通させる挿通孔を形成し、この挿通孔の内部に挿通した接合具で接合対象の部材同士を接合した後に、接合具が内部に挿入された状態の挿通孔の内部に封止キャップを嵌め込み、当該挿通孔を封止することが望ましい。
【００８５】
また、前記第1実施形態では、封止キャップの蓋部の表面、及び、挿通孔の周囲を囲む本体部の表面にマーキングされる関連付マーキング群として、関連付マーキング群を構成する複数の文字のうち、いくつかが封止キャップの蓋部の表面に刻印されるとともに、残りが本体部の表面に刻印されるものを採用したが、これに限らず、例えば、図２１に示すように、封止キャップ70の蓋部72の表面であるドーム状面76A と、挿通孔である凹部53C の周囲を囲む本体部51の表面56とにまたがって各文字が分割されて刻印、換言すると、割印された関連付マーキング群55A （図１７では「ＡＫＣ４７」）でもよい。
【００８６】
さらに、前記第1実施形態では、笠状蓋部72の所定部分に関連付マーク20A の中心点を配置した状態で、前回のレーザー刻印作業で笠状蓋部72に形成された関連付マーク20A の回転角度位置から９０度だけ回転させた関連付マーク20A を笠状蓋部72に刻印することで、複数の封止キャップ70の笠状蓋部72に対して、関連付マーク20の異なる部位を刻印するようにしたが、複数の封止キャップ70に関連付マーク20の異なる部位を刻印する手順としては、前述の手順に限らず、関連付マーク20A の中心点を、笠状蓋部72の周方向に沿って所定角度だけずらすことで、複数の封止キャップ70に関連付マーク20の異なる部位を刻印するようにしてもよい。
【００８７】
さらに具体的に説明すると、最初に関連付マーク20A が刻印される副基板ケース2Dの角隅部97A については、図２２（Ａ）に示すように、笠状蓋部72の中心点から図２２（Ａ）中、右方にずれた位置に関連付マーク20A の中心点が配置されるように、関連付マーク20A が刻印されている。これにより、副基板ケース2Dにおける角隅部97A の凹部に嵌め込まれた封止キャップ70の笠状蓋部72には、図２２（Ａ）の如く、主に、関連付マーク20A の第３文字枠部23及び第４文字枠部24が刻印されている。
【００８８】
この図２２（Ａ）に示した副基板ケース2Dの次に、関連付マーク20A が刻印される副基板ケース2Dの角隅部97A については、図２２（Ｂ）に示すように、笠状蓋部72の中心点から図２２（Ｂ）中、下方にずれた位置に関連付マーク20A の中心点が配置されるように、換言すると、図２２（Ａ）に示した関連付マーク20A から、笠状蓋部72の周方向に沿って時計回りに所定角度（例えば、９０度）だけ回転移動させた位置に中心点が配置されるように、関連付マーク20A が刻印されている。これにより、封止キャップ70の笠状蓋部72には、図２２（Ｂ）の如く、主に、関連付マーク20A の第４文字枠部24及び第１文字枠部21が刻印されている。
【００８９】
図２２（Ｂ）に示した副基板ケース2Dの次に、関連付マーク20A が刻印される副基板ケース2Dの角隅部97A については、図２２（Ｃ）に示すように、笠状蓋部72の中心点から図２２（Ｃ）中、左方にずれた位置に関連付マーク20A の中心点が配置されるように、換言すると、図２２（Ｂ）に示した関連付マーク20A から、笠状蓋部72の周方向に沿って時計回りに所定角度（例えば、９０度）だけ回転移動させた位置に中心点が配置されるように、関連付マーク20A が刻印されている。これにより、封止キャップ70の笠状蓋部72には、図２２（Ｃ）の如く、主に、関連付マーク20A の第１文字枠部21及び第２文字枠部22が刻印されている。
【００９０】
図２２（Ｃ）に示した副基板ケース2Dの次に、関連付マーク20A が刻印される副基板ケース2Dの角隅部97A については、図２２（Ｄ）に示すように、笠状蓋部72の中心点から図２２（Ｄ）中、上方にずれた位置に関連付マーク20A の中心点が配置されるように、換言すると、図２２（Ｃ）に示した関連付マーク20A から、笠状蓋部72の周方向に沿って時計回りに所定角度（例えば、９０度）だけ回転移動させた位置に中心点が配置されるように、関連付マーク20A が刻印されている。これにより、封止キャップ70の笠状蓋部72には、図２２（Ｄ）の如く、主に、関連付マーク20A の第２文字枠部22及び第３文字枠部23が刻印されている。
【００９１】
また、関連付マークに含まれる文字の書体は、図１５に示される書体に限らず、他の種類の書体に限らず、明朝体やゴシック体等の他の種類の一般的な書体でもよく、あるいは、図２３に示すように、デザイン化した特殊な書体からなる文字を含む関連付マーク20E〜20Hでもよい。
さらに、管理情報、識別マーク、及び、関連付マーキング群としては、前記実施形態のように、複数種類の文字を組み合わせたものに限らず、記号、図形若しくは模様からなるもの、あるいは、文字、記号、図形若しくは模様又はこれらの組み合わせからなるものでもよく、さらに、バーコードやＱＲコードでもよい。
【００９２】
また、前記第2実施形態では、封止キャップの笠状蓋部の境界面、及び、挿通孔の周囲を囲む本体部の表面にマーキングされる関連付マーキング群として、関連付マーキング群を構成する複数の文字のうち、いくつかが封止キャップの笠状蓋部の境界面に刻印されるとともに、残りが本体部の表面に刻印されるものを採用したが、これに限らず、例えば、図２４に示すように、封止キャップ70の境界面75A と、挿通孔である凹部53C の周囲を囲む本体部51の表面56とにまたがって刻印、換言すると、文字が割印された関連付マーキング群55A （図２４では「ＡＫＣ４７」）でもよい。
【００９３】
さらに、前記第1及び第2実施形態では、基板ケースのベース部に蓋部をネジ等の接合具で接合したが、接合具で相互に接合される部材としては、ベース部及び蓋部に限らず、例えば、基板ケースに収納された制御基板に接続されるコネクターを覆うコネクターカバーと、このコネクターカバーが取り付けられる基板ケースとを、ネジ等の接合具で接合されるものとしてもよく、遊技機に設けられているとともに互いに接合される部材であれば、具体的な形状や構造は限定されない。
この際、互いに接合される部材の少なくとも一の部材に、接合具を挿通させる挿通孔を形成し、この挿通孔の内部に挿通した接合具で接合対象の部材同士を接合した後に、接合具が内部に挿入された状態の挿通孔の内部に封止キャップを嵌め込み、当該挿通孔を封止することが望ましい。
【００９４】
また、前記第1及び第2実施形態では、境界面75A の周縁部分に波形の凹凸からなる波形部75C を設けたが、境界面75A の形態としては、なだらかなサイン波形の凹凸を有するものに限らず、三角波状の凹凸でもよく、さらには、波形の凹凸を有するものに限らず、例えば、半球状の凸部と、この凸部に応じた凹部とが交互に形成されたものでもよく、要するに、境界面75A には、カッター等の鋭利な刃物を巧みに操っても、添加剤添加層72A を添加剤非添加層72B から綺麗に剥離することが不可能となる凹凸が形成されていればよい。
なお、本発明は、スロットマシンに限らず、パチンコ機等の弾球遊技機にも適用でき、要するに、接合具で接合される基板ケース等の部材を備えた遊技機全般に適用できる。
【符号の説明】
【００９５】
1        遊技機としてのスロットマシン    15        制御基板である主制御基板
20        関連付マーク                    50        基板ケース
51        本体部                          52        ベース部
53        （本体部を形成する）蓋部        53C       挿通孔としての凹部
53L       本体部の内面                    53P       第１通気口
53R,84    通気凹部                        55        関連付マーキング群
55A       関連付マーキング群              55B       関連付マーキング群
55C       関連付マーキング群              56    本体部の表面
60        接合具としてのネジ              70        封止キャップ
71        筒部                            72        笠状蓋部
72A       添加剤添加層                    72B       添加剤非添加層
73        パンチアウト部                  74        非パンチアウト部
75A       境界面
76A       封止キャップに設けられた笠状蓋部の表面としてのドーム状面
77        識別マーク                    80        管理プレート
80A       管理情報                      82        第２通気口
92        接合される部材であるベース部  93        接合される部材である蓋部
96        部材の表面
【図１】
0005599075.tif 000002
【図３】
0005599075.tif 000003
【図４】
0005599075.tif 000004
【図５】
0005599075.tif 000005
【図６】
0005599075.tif 000006
【図７】
0005599075.tif 000007
【図８】
0005599075.tif 000008
【図９】
0005599075.tif 000009
【図１０】
0005599075.tif 000010
【図１１】
0005599075.tif 000011
【図１２】
0005599075.tif 000012
【図１３】
0005599075.tif 000013
【図１４】
0005599075.tif 000014
【図１５】
0005599075.tif 000015
【図１６】
0005599075.tif 000016
【図１７】
0005599075.tif 000017
【図１８】
0005599075.tif 000018
【図１９】
0005599075.tif 000019
【図２０】
0005599075.tif 000020
【図２１】
0005599075.tif 000021
【図２２】
0005599075.tif 000022
【図２３】
0005599075.tif 000023
【図２４】
0005599075.tif 000024
【図２】
0005599075.tif 000025